【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
モジュールを有するアプリケーションで受け取られたデータ記録の第１の量を決定するステップと、
前記アプリケーションの前記モジュールに関し、前記データ記録の処理時に前記モジュールによって出力されたデータ記録のそれぞれの第２の量を決定するステップと、
データ記録の前記第１および第２の量が、前記アプリケーションで受け取られたデータ記録の量と、前記アプリケーションの前記モジュールによって出力されたデータ記録の量との間のターゲット関係を表す規則を満たすかどうかを判定するステップと、
前記アプリケーションの前記モジュールによるデータ記録の前記処理と関連付けられた時刻に基づいて、前記アプリケーションに関連した待ち時間を決定するステップと
を含む、方法。
【請求項２】
前記規則が満たされたかどうかを表す報告書を提供するステップを含む、請求項１に記載の方法。
【請求項３】
前記アプリケーションが、複数の出力ポートを含むモジュールを含み、前記ターゲット関係が、前記モジュールで受け取られた記録の量が前記モジュールの前記出力ポートを通して出力された記録の量と等しいことを表すものを含む、請求項１に記載の方法。
【請求項４】
前記モジュールが、受け取ったそれぞれの記録の入力量に対する記録の出力量を出力し、前記入力量が前記出力量と異なり、前記ターゲット関係が前記入力量と前記出力量の比を表すものを含む、請求項１に記載の方法。
【請求項５】
前記規則を指定するステップを含む、請求項１に記載の方法。
【請求項６】
前記規則の指定を受け取るステップを含む、請求項１に記載の方法。
【請求項７】
前記アプリケーションのモジュールから出力されたデータ記録の第２の量を決定するステップが、前記モジュールから出力された前記データ記録を数えるステップを含む、請求項１に記載の方法。
【請求項８】
前記アプリケーションのモジュールから出力されたデータ記録の第２の量を決定するステップが、
前記モジュールの第１の出力ポートから出力された前記データ記録を数えるステップと、
前記第１の出力ポートから出力されたデータ記録の数、および前記モジュールに入力されたデータ記録の数に基づいて、前記モジュールの第２の出力ポートから出力されたデータ記録の数を計算するステップと
を含む、請求項１に記載の方法。
【請求項９】
前記アプリケーションの前記待ち時間を決定するステップが、前記アプリケーションが前記データ記録を受け取るときの開始時刻と、前記アプリケーションが前記データ記録の処理を終了するときの終止時刻とに基づいて前記待ち時間を決定するステップを含む、請
求項１に記載の方法。
【請求項１０】
前記アプリケーションが、前記第１の量および前記第２の量が前記規則を満たしたときに、前記データ記録の処理を終了している、請求項９に記載の方法。
【請求項１１】
前記データ記録のうちの特定の１つが前記アプリケーションの前記モジュールで処理されるときの時刻を記録するステップを含む、請求項１に記載の方法。
【請求項１２】
前記記録された時刻に基づいて前記モジュールの待ち時間を決定するステップを含む、請求項１１に記載の方法。
【請求項１３】
携帯電話システムから前記データ記録を受け取るステップを含む、請求項１に記載の方法。
【請求項１４】
前記データ記録が、携帯電話システムの第１のタイプのスイッチによって処理された第１のデータ記録と、前記携帯電話システムの第２のタイプのスイッチによって処理された第２のデータ記録とを含む、請求項１に記載の方法。
【請求項１５】
コンピュータ可読媒体に保存されたソフトウェアであって、コンピューティングシステムに、
モジュールを有するアプリケーションで受け取られたデータ記録の第１の量を決定させる、
前記アプリケーションの前記モジュールに関し、前記データ記録の処理時に前記モジュールから出力されたデータ記録のそれぞれの第２の量を決定させる、
データ記録の前記第１および第２の量が、前記アプリケーションで受け取られたデータ記録の量と、前記アプリケーションの前記モジュールによって出力されたデータ記録の量との間のターゲット関係を示す規則を満たすかどうかを判定させる、ならびに
前記アプリケーションの前記モジュールによるデータ記録の前記処理と関連付けられた時刻に基づいて、前記アプリケーションに関連した待ち時間を決定させる
ようにするための命令を含む、ソフトウェア。
【請求項１６】
モジュールを有するアプリケーションで受け取られたデータ記録の第１の量を決定するように、
前記アプリケーションの前記モジュールに関し、前記データ記録の処理時に前記モジュールによって出力されたデータ記録のそれぞれの第２の量を決定するように、
データ記録の前記第１および第２の量が、前記アプリケーションで受け取られたデータ記録の量と、前記アプリケーションの前記モジュールにより出力されたデータ記録の量との間のターゲット関係を示す規則を満たすかどうかを判定するように、ならびに
前記アプリケーションの前記モジュールによるデータ記録の前記処理と関連付けられた時刻に基づいて、前記アプリケーションに関連した待ち時間を決定するように
構成された少なくとも１つのプロセッサを含む、コンピューティングシステム。
【請求項１７】
モジュールを有するアプリケーションで受け取られたデータ記録の第１の量を決定するための手段と、
前記アプリケーションの前記モジュールに関し、前記データ記録の処理時に前記モジュールによって出力されたデータ記録のそれぞれの第２の量を決定するための手段と、
データ記録の前記第１および第２の量が、前記アプリケーションで受け取られたデータ記録の量と、前記アプリケーションの前記モジュールによって出力されたデータ記録の量との間のターゲット関係を示す規則を満たすかどうかを判定するための手段と、
前記アプリケーションの前記モジュールによるデータ記録の前記処理と関連付けられた時刻に基づいて、前記アプリケーションに関連した待ち時間を決定するための手段と
を含む、コンピューティングシステム。
【請求項１８】
前記モジュールによる前記データ記録の前記出力と関連付けられた時刻に基づいて、前記アプリケーションに関連した前記待ち時間を決定するステップを含む、請求項１に記載の方法。
【請求項１９】
前記プロセッサが、前記規則が満たされたかどうかを表す報告書を提供するように構成されている、請求項１６に記載のコンピューティングシステム。
【請求項２０】
前記アプリケーションが、複数の出力ポートを含むモジュールを含み、前記ターゲット関係が、前記モジュールで受け取られた記録の量が前記モジュールの前記出力ポートを通して出力された記録の量と等しいことを表すものを含む、請求項１６に記載のコンピューティングシステム。
【請求項２１】
前記モジュールが、受け取ったそれぞれの記録の入力量に対する記録の出力量を出力し、前記入力量が前記出力量と異なり、前記ターゲット関係が前記入力量と前記出力量の比を表すものを含む、請求項１６に記載のコンピューティングシステム。
【請求項２２】
前記プロセッサが、前記規則を指定するように構成されている、請求項１６に記載のコンピューティングシステム。
【請求項２３】
前記プロセッサが、前記規則の指定を受け取るように構成されている、請求項１６に記載のコンピューティングシステム。
【請求項２４】
前記アプリケーションのモジュールから出力されたデータ記録の第２の量を決定するステップが、前記モジュールから出力された前記データ記録を数えるステップを含む、請求項１６に記載のコンピューティングシステム。
【請求項２５】
前記アプリケーションのモジュールから出力されたデータ記録の第２の量を決定するステップが、
前記モジュールの第１の出力ポートから出力された前記データ記録を数えるステップと、
前記第１の出力ポートから出力されたデータ記録の数、および前記モジュールに入力されたデータ記録の数に基づいて、前記モジュールの第２の出力ポートから出力されたデータ記録の数を計算するステップと
を含む、請求項１６に記載のコンピューティングシステム。
【請求項２６】
前記アプリケーションの前記待ち時間を決定するステップが、前記アプリケーションが前記データ記録を受け取るときの開始時刻と、前記アプリケーションが前記データ記録の処理を終了するときの終止時刻とに基づいて前記待ち時間を決定するステップを含む、請
求項１６に記載のコンピューティングシステム。
【請求項２７】
前記アプリケーションが、前記第１の量および前記第２の量が前記規則を満たしたときに、前記データ記録の処理を終了している、請求項２６に記載のコンピューティングシステム。
【請求項２８】
前記プロセッサが、前記データ記録のうちの特定の１つが前記アプリケーションの前記モジュールで処理されるときの時刻を記録するように構成されている、請求項１６に記載のコンピューティングシステム。
【請求項２９】
前記プロセッサが、前記記録された時刻に基づいて前記モジュールの待ち時間を決定するように構成されている、請求項２８に記載のコンピューティングシステム。
【請求項３０】
前記プロセッサが、携帯電話システムから前記データ記録を受け取るように構成されている、請求項１６に記載のコンピューティングシステム。
【請求項３１】
前記データ記録が、携帯電話システムの第１のタイプのスイッチによって処理された第１のデータ記録と、前記携帯電話システムの第２のタイプのスイッチによって処理された第２のデータ記録とを含む、請求項１６に記載のコンピューティングシステム。
【請求項３２】
前記プロセッサが、前記モジュールによる前記データ記録の前記出力と関連付けられた時刻に基づいて、前記アプリケーションに関連した前記待ち時間を決定するように構成されている、請求項１６に記載のコンピューティングシステム。
【請求項３３】
前記コンピューティングシステムに、前記規則が満たされたかどうかを表す報告書を提供させるようにするための命令を含む、請求項１５に記載のソフトウェア。
【請求項３４】
前記アプリケーションが、複数の出力ポートを含むモジュールを含み、前記ターゲット関係が、前記モジュールで受け取られた記録の量が前記モジュールの前記出力ポートを通して出力された記録の量と等しいことを表すものを含む、請求項１５に記載のソフトウェア。
【請求項３５】
前記モジュールが、受け取ったそれぞれの記録の入力量に対する記録の出力量を出力し、前記入力量が前記出力量と異なり、前記ターゲット関係が前記入力量と前記出力量の比を表すものを含む、請求項１５に記載のソフトウェア。
【請求項３６】
前記コンピューティングシステムに前記規則を指定させるようにするための命令を含む、請求項１５に記載のソフトウェア。
【請求項３７】
前記コンピューティングシステムに前記規則の指定を受け取らせるようにするための命令を含む、請求項１５に記載のソフトウェア。
【請求項３８】
前記アプリケーションのモジュールから出力されたデータ記録の第２の量を決定するステップが、前記モジュールから出力された前記データ記録を数えるステップを含む、請求項１５に記載のソフトウェア。
【請求項３９】
前記アプリケーションのモジュールから出力されたデータ記録の第２の量を決定するステップが、
前記モジュールの第１の出力ポートから出力された前記データ記録を数えるステップと、
前記第１の出力ポートから出力されたデータ記録の数、および前記モジュールに入力されたデータ記録の数に基づいて、前記モジュールの第２の出力ポートから出力されたデータ記録の数を計算するステップと
を含む、請求項１５に記載のソフトウェア。
【請求項４０】
前記アプリケーションの前記待ち時間を決定するステップが、前記アプリケーションが前記データ記録を受け取るときの開始時刻と、前記アプリケーションが前記データ記録の処理を終了するときの終止時刻とに基づいて前記待ち時間を決定するステップを含む、請
求項１５に記載のソフトウェア。
【請求項４１】
前記アプリケーションが、前記第１の量および前記第２の量が前記規則を満たしたときに、前記データ記録の処理を終了している、請求項４０に記載のソフトウェア。
【請求項４２】
前記コンピューティングシステムに、前記データ記録のうちの特定の１つが前記アプリケーションの前記モジュールで処理されるときの時刻を記録させるようにするための命令を含む、請求項１５に記載のソフトウェア。
【請求項４３】
前記コンピューティングシステムに、前記記録された時刻に基づいて前記モジュールの待ち時間を決定させるようにするための命令を含む、請求項４２に記載のソフトウェア。
【請求項４４】
前記コンピューティングシステムに、携帯電話システムから前記データ記録を受け取らせるようにするための命令を含む、請求項１５に記載のソフトウェア。
【請求項４５】
前記データ記録が、携帯電話システムの第１のタイプのスイッチによって処理された第１のデータ記録と、前記携帯電話システムの第２のタイプのスイッチによって処理された第２のデータ記録とを含む、請求項１５に記載のソフトウェア。
【請求項４６】
前記コンピューティングシステムに、前記モジュールによる前記データ記録の前記出力と関連付けられた時刻に基づいて、前記アプリケーションに関連した前記待ち時間を決定させるようにするための命令を含む、請求項１５に記載のソフトウェア。